(57)【要約】【課題】被照明部材のコーナー領域の輝度が低下するのを抑制することが可能な照明装置を提供する。【解決手段】この照明装置２０は、複数の発光素子２１と、発光素子２１が実装される複数の実装基板２２と、を備える。実装基板２２は、矩形状の中央領域Ｓ１に配置される複数の実装基板１２１と、中央領域Ｓ１の外側の周縁領域Ｓ２に配置され、かつ、照明装置２０のコーナー部Ｃ近傍に配置される実装基板１２２とを含む。【選択図】図３
2013152865.tif 000002
【特許請求の範囲】
【請求項１】
被照明部材を照明する照明装置であって、
複数の発光素子と、
前記発光素子が実装される複数の実装基板と、
を備え、
前記実装基板は、矩形状の第１領域に配置される複数の第１実装基板と、前記第１領域の外側の第２領域に配置され、かつ、前記照明装置のコーナー部近傍に配置される第２実装基板とを含むことを特徴とする照明装置。
【請求項２】
前記第１実装基板は第１方向に延びるように形成されており、
前記第２実装基板は、前記第１実装基板の前記第１方向の端面よりも前記第１方向の外側に配置されていることを特徴とする請求項１に記載の照明装置。
【請求項３】
前記第１実装基板は第１方向に延びるように形成されており、
前記第２実装基板は、前記第１実装基板の前記第１方向と交差する第２方向の端面よりも前記第２方向の外側に配置されていることを特徴とする請求項１または２に記載の照明装置。
【請求項４】
前記第２実装基板は前記第１実装基板に電気的に接続されていることを特徴とする請求項１〜３のいずれか１項に記載の照明装置。
【請求項５】
前記第２実装基板の少なくとも１つは、最も近い前記第１実装基板に電気的に接続されていることを特徴とする請求項４に記載の照明装置。
【請求項６】
前記第１実装基板は、第１方向に複数配置されているとともに、前記第１方向と交差する第２方向にも複数配置されており、
前記第１方向に配置された前記第１実装基板同士は互いに電気的に接続されており、
互いに電気的に接続された前記第１実装基板に隣接する２枚の前記第２実装基板のうちの一方の前記第２実装基板は、最も近い前記第１実装基板に電気的に接続され、
他方の前記第２実装基板は、２番目に近い前記第１実装基板に電気的に接続されていることを特徴とする請求項５に記載の照明装置。
【請求項７】
前記実装基板上に配置される反射シートを備え、
前記反射シートは、前記被照明部材に略平行に配置される底面部と、前記底面部に対して傾斜する傾斜面部とを含み、
前記傾斜面部のうちの、前記第２実装基板に実装された発光素子の前方部分には、開口部または切り欠き部が形成されていることを特徴とする請求項１〜６のいずれか１項に記載の照明装置。
【請求項８】
前記第１実装基板には、複数の前記発光素子が実装されており、
前記第２実装基板には、１個の前記発光素子が実装されていることを特徴とする請求項１〜７のいずれか１項に記載の照明装置。
【請求項９】
前記複数の第１実装基板は互いに同じ大きさで同じ形状に形成されていることを特徴とする請求項１〜８のいずれか１項に記載の照明装置。
【請求項１０】
前記第２実装基板に実装された発光素子を除いて前記複数の発光素子は、マトリクス状に配置されており、
前記第２実装基板に実装された発光素子は、前記マトリクス状に配置された前記複数の発光素子のうちの前記コーナー部に隣接して配置される前記発光素子に比べて、前記コーナー部の近くに配置されていることを特徴とする請求項１〜９のいずれか１項に記載の照明装置。
【請求項１１】
前記発光素子は白色発光ダイオードを含むことを特徴とする請求項１〜１０のいずれか１項に記載の照明装置。
【請求項１２】
前記白色発光ダイオードは、
青色に発光する青色発光チップと、前記青色発光チップの周囲に設けられ、黄色の領域に発光ピークを有する発光体層と、の組み合わせ、
または、
青色に発光する青色発光チップと、前記青色発光チップの周囲に設けられ、緑色の領域および赤色の領域にそれぞれ発光ピークを有する発光体層と、の組み合わせ、
または、
青色に発光する青色発光チップと、前記青色発光チップの周囲に設けられ、緑色の領域に発光ピークを有する発光体層と、赤色に発光する赤色発光チップと、の組み合わせ、
または、
青色に発光する青色発光チップと、赤色に発光する赤色発光チップと、緑色に発光する緑色発光チップと、の組み合わせ、
または、
紫外光を発光する紫外光発光チップと、前記紫外光発光チップの周囲に設けられ、青色の領域、赤色の領域および緑色の領域にそれぞれ発光ピークを有する発光体層と、の組み合わせ、
のいずれかの組み合わせを含むことを特徴とする請求項１１に記載の照明装置。
【請求項１３】
前記第２実装基板に実装された発光素子のみが、前記青色に発光する青色発光チップと、前記黄色の領域に発光ピークを有する発光体層とを含む前記白色発光ダイオードであることを特徴とする請求項１２に記載の照明装置。
【請求項１４】
前記発光素子の光出射側を覆うように設けられ、前記発光素子からの光を拡散させる拡散レンズを備えることを特徴とする請求項１〜１３のいずれか１項に記載の照明装置。
【請求項１５】
前記拡散レンズは、真上方向よりも前記コーナー部方向へ出射する光を増大させることを特徴とする請求項１４に記載の照明装置。
【請求項１６】
前記拡散レンズは、前記第２実装基板に実装された発光素子以外の発光素子に設けられていることを特徴とする請求項１３または１４に記載の照明装置。
【請求項１７】
請求項１〜１６のいずれか１項に記載の照明装置と、
前記照明装置からの光を利用して表示を行う表示パネルとを備えることを特徴とする表示装置。
【請求項１８】
前記表示パネルは液晶を用いた液晶表示パネルであることを特徴とする請求項１７に記載の表示装置。
【発明の詳細な説明】
【技術分野】
【０００１】
この発明は、照明装置およびそれを備えた表示装置に関し、特に、複数の発光素子を含む照明装置およびそれを備えた表示装置に関する。
【背景技術】
【０００２】
液晶表示装置（表示装置）は、表示パネル（被照明部材）が非発光型なので、通常、表示パネルに対して光を照射するバックライト装置（照明装置）が搭載される。このようなバックライト装置として、複数のＬＥＤ（発光素子）を備えた直下型のバックライト装置が知られている。
【０００３】
図１２は、複数のＬＥＤを含む直下型のバックライト装置を備えた従来の表示装置の一例を示した断面図である。表示装置１００１は図１２に示すように、液晶表示パネル１００２と、液晶表示パネル１００２を照明するバックライト装置１０１０とを備えている。バックライト装置１０１０は、複数のＬＥＤ１０１１と、ＬＥＤ１０１１を覆うように配置された拡散レンズ１０１２と、複数のＬＥＤ１０１１が実装される実装基板１０１３と、ＬＥＤ１０１１からの光を液晶表示パネル１００２側に反射する反射シート１０１４と、ＬＥＤ１０１１の前方（液晶表示パネル１００２側）に配置された拡散板１０１５および複数の光学シート１０１６と、ＬＥＤ１０１１および実装基板１０１３などを収納するシャーシ１０１７とを含んでいる。
【０００４】
複数のＬＥＤ１０１１は液晶表示パネル１００２の長手方向および短手方向に配列されている。拡散レンズ１０１２は反射シート１０１４の開口部から前側（液晶表示パネル１００２側）に突出している。ＬＥＤ１０１１から出射した光は拡散レンズ１０１２を透過するとともに、その一部は拡散板１０１５で反射されて反射シート１０１４により液晶表示パネル１００２側に反射される。
【０００５】
反射シート１０１４は長方形状の底面部１０１４ａと、底面部１０１４ａに対して所定の傾斜角度を有するように液晶表示パネル１００２側に折り曲げられた傾斜面部１０１４ｂとを含んでいる。これにより、ＬＥＤ１０１１から出射した光は、バックライト装置１０１０の周縁部において、反射シート１０１４の傾斜面部１０１４ｂにより液晶表示パネル１００２側に反射される。このため、液晶表示パネル１００２の周縁部の輝度が低下する（周縁部が暗く見える）のを抑制することが可能である。
【０００６】
なお、反射シートの周縁部が折り曲げられた照明装置は、例えば特許文献１に開示されている。
【先行技術文献】
【特許文献】
【０００７】
【特許文献１】特開２０１１−３４９５５号公報
【発明の概要】
【発明が解決しようとする課題】
【０００８】
しかしながら、従来の表示装置１００１では図１３に示すように、バックライト装置１０１０を薄型化すると、反射シート１０１４の傾斜面部１０１４ｂの傾斜角度が小さくなる。特に、ＬＥＤ１０１１から反射シート１０１４のコーナー部（バックライト装置１０１０のコーナー部）に向かって出射した光は、バックライト装置１０１０の厚み方向（液晶表示パネル１００２側）に反射されにくい。このため、液晶表示パネル１００２のコーナー領域Ｓ１００１（図１４参照）の輝度が低下する（コーナー領域Ｓ１００１が暗く見える）という問題点がある。なお、図１４のハッチング領域はコーナー領域Ｓ１００１を示している。
【０００９】
この発明は、上記のような課題を解決するためになされたものであり、この発明の目的は、被照明部材のコーナー領域の輝度が低下するのを抑制することが可能な照明装置およびそれを備えた表示装置を提供することである。
【課題を解決するための手段】
【００１０】
上記目的を達成するために、この発明の照明装置は、被照明部材を照明する照明装置であって、複数の発光素子と、発光素子が実装される複数の実装基板と、を備え、実装基板は、矩形状の第１領域に配置される複数の第１実装基板と、第１領域の外側の第２領域に配置され、かつ、照明装置のコーナー部近傍に配置される第２実装基板とを含む。
【００１１】
この照明装置では、上記のように、発光素子が実装される複数の実装基板を備え、実装基板は、矩形状の第１領域に配置される複数の第１実装基板と、第１領域の外側の第２領域に配置され、かつ、照明装置のコーナー部近傍に配置される第２実装基板とを含む。すなわち、照明装置のコーナー部近傍（コーナー領域）に、発光素子が実装される第２実装基板を追加配置する。これにより、照明装置のコーナー領域から出射する光の量を増加させることができるので、被照明部材のコーナー領域の輝度が低下する（コーナー領域が暗く見える）のを抑制することができる。このような構成は、薄型の照明装置に特に有効である。
【００１２】
上記照明装置において、好ましくは、第１実装基板は第１方向に延びるように形成されており、第２実装基板は、第１実装基板の第１方向の端面よりも第１方向の外側に配置されている。
【００１３】
上記照明装置において、好ましくは、第１実装基板は第１方向に延びるように形成されており、第２実装基板は、第１実装基板の第１方向と交差する第２方向の端面よりも第２方向の外側に配置されている。
【００１４】
上記照明装置において、好ましくは、第２実装基板は第１実装基板に電気的に接続されている。このように構成すれば、実装基板と電源基板とを接続する配線の数が増加するのを、防止することができる。
【００１５】
上記第２実装基板が第１実装基板に電気的に接続されている照明装置において、好ましくは、第２実装基板の少なくとも１つは、最も近い第１実装基板に電気的に接続されている。このように構成すれば、第２実装基板と第１実装基板とを接続する配線を短くすることができる。
【００１６】
この場合、好ましくは、第１実装基板は、第１方向に複数配置されているとともに、第１方向と交差する第２方向にも複数配置されており、第１方向に配置された第１実装基板同士は互いに電気的に接続されており、互いに電気的に接続された第１実装基板に隣接する２枚の第２実装基板のうちの一方の第２実装基板は、最も近い第１実装基板に電気的に接続され、他方の第２実装基板は、２番目に近い第１実装基板に電気的に接続されている。このように構成すれば、直列接続される発光素子の数が増加するのを抑制することができるので、実装基板に供給する電圧が高くなるのを抑制することができる。
【００１７】
上記照明装置において、好ましくは、実装基板上に配置される反射シートを備え、反射シートは、被照明部材に略平行に配置される底面部と、底面部に対して傾斜する傾斜面部とを含み、傾斜面部のうちの、第２実装基板に実装された発光素子の前方部分には、開口部または切り欠き部が形成されている。このように構成すれば、照明装置のコーナー部近傍に発光素子を追加配置した場合に、その発光素子から出射した光が反射シートの傾斜面部で遮られるのを抑制することができる。
【００１８】
上記照明装置において、好ましくは、第１実装基板には、複数の発光素子が実装されており、第２実装基板には、１個の発光素子が実装されている。
【００１９】
上記照明装置において、好ましくは、複数の第１実装基板は互いに同じ大きさで同じ形状に形成されている。
【００２０】
上記照明装置において、好ましくは、第２実装基板に実装された発光素子を除いて複数の発光素子は、マトリクス状に配置されており、第２実装基板に実装された発光素子は、マトリクス状に配置された複数の発光素子のうちの前記コーナー部に隣接して配置される発光素子に比べて、前記コーナー部の近くに配置されている。このように構成すれば、照明装置のコーナー領域から出射する光の量を容易に増加させることができる。
【００２１】
上記照明装置において、好ましくは、発光素子は白色発光ダイオードを含む。
【００２２】
上記発光素子が白色発光ダイオードを含む照明装置において、好ましくは、白色発光ダイオードは、青色に発光する青色発光チップと、青色発光チップの周囲に設けられ、黄色の領域に発光ピークを有する発光体層と、の組み合わせ、または、青色に発光する青色発光チップと、青色発光チップの周囲に設けられ、緑色の領域および赤色の領域にそれぞれ発光ピークを有する発光体層と、の組み合わせ、または、青色に発光する青色発光チップと、青色発光チップの周囲に設けられ、緑色の領域に発光ピークを有する発光体層と、赤色に発光する赤色発光チップと、の組み合わせ、または、青色に発光する青色発光チップと、赤色に発光する赤色発光チップと、緑色に発光する緑色発光チップと、の組み合わせ、または、紫外光を発光する紫外光発光チップと、紫外光発光チップの周囲に設けられ、青色の領域、赤色の領域および緑色の領域にそれぞれ発光ピークを有する発光体層と、の組み合わせ、のいずれかの組み合わせを含む。
【００２３】
この場合、照明装置において、好ましくは、第２実装基板に実装された発光素子のみが、青色に発光する青色発光チップと、黄色の領域に発光ピークを有する発光体層とを含む白色発光ダイオードである。
【００２４】
上記照明装置において、好ましくは、発光素子の光出射側を覆うように設けられ、発光素子からの光を拡散させる拡散レンズを備える。このように構成すれば、発光素子からの光を拡散させることができるので、被照明部材のコーナー領域の輝度が低下するのをより抑制することができる。
【００２５】
上記拡散レンズを備える照明装置において、好ましくは、拡散レンズは、真上方向よりもコーナー部方向へ出射する光を増大させる。このように構成すれば、被照明部材のコーナー領域の輝度が低下するのを効果的に抑制することができる。
【００２６】
上記拡散レンズを備える照明装置において、好ましくは、拡散レンズは、第２実装基板に実装された発光素子以外の発光素子に設けられている。
【００２７】
この発明の表示装置は、上記の構成の照明装置と、照明装置からの光を利用して表示を行う表示パネルとを備える。このように構成すれば、表示パネル（被照明部材）のコーナー領域の輝度が低下するのを抑制することが可能な表示装置を得ることができる。
【００２８】
上記表示装置において、好ましくは、表示パネルは液晶を用いた液晶表示パネルである。
【発明の効果】
【００２９】
以上のように、本発明によれば、被照明部材のコーナー領域の輝度が低下するのを抑制することが可能な照明装置およびそれを備えた表示装置を容易に得ることができる。
【図面の簡単な説明】
【００３０】
【図１】本発明の第１実施形態の照明装置を備えたテレビジョン受像機の構造を示した分解斜視図である。
【図２】図１に示した本発明の第１実施形態の表示装置の構造を示した分解斜視図である。
【図３】図１に示した本発明の第１実施形態の発光素子、拡散レンズおよび実装基板の構造を示した平面図である。
【図４】図１に示した本発明の第１実施形態の発光素子の構造を示した断面図である。
【図５】図１に示した本発明の第１実施形態の照明装置の構造を示した断面図である。
【図６】図１に示した本発明の第１実施形態の拡散レンズの構造の一例を示した拡大断面図である。
【図７】図６に示した拡散レンズから出射する光の配光パターン（指向特性）を示した図である。
【図８】本発明の第２実施形態の発光素子、拡散レンズおよび実装基板の構造を示した平面図である。
【図９】本発明の第３実施形態の発光素子、拡散レンズおよび実装基板の構造を示した平面図である。
【図１０】本発明の第４実施形態の発光素子、拡散レンズおよび実装基板の構造を示した平面図である。
【図１１】本発明の第５実施形態の発光素子、拡散レンズおよび実装基板の構造を示した平面図である。
【図１２】複数のＬＥＤを含む直下型のバックライト装置を備えた従来の表示装置の一例を示した断面図である。
【図１３】図１２に示した従来の表示装置のバックライト装置を薄型化した状態を示した断面図である。
【図１４】図１３に示した表示装置の液晶表示パネルを示した平面図である。
【発明を実施するための形態】
【００３１】
以下、本発明の実施形態について図面を参照して説明する。なお、理解を容易にするために、断面図であってもハッチングを施さない場合がある。
【００３２】
（第１実施形態）
図１〜図７を参照して、本発明の第１実施形態による照明装置２０を備えたテレビジョン受像機１の構造について説明する。
【００３３】
本発明の第１実施形態のテレビジョン受像機１は図１に示すように、照明装置２０を含む表示装置１０と、表示装置１０を収納するフロントキャビネット２およびバックキャビネット３と、スピーカ４と、チューナ基板５と、電源基板６と、支持部材７とを備えている。フロントキャビネット２、バックキャビネット３、スピーカ４、チューナ基板５、電源基板６および支持部材７は、従来一般に用いられるものが適用できるので、それぞれ簡単に説明する。
【００３４】
フロントキャビネット２およびバックキャビネット３は、表示装置１０、チューナ基板５および電源基板６を収納している。チューナ基板５は受信した電波から所定のチャンネルの画像信号と音声信号とを生成する機能を有する。スピーカ４はフロントキャビネット２に取り付けられているとともに、チューナ基板５が生成した音声信号に基づいて音声を発する機能を有する。電源基板６は、表示装置１０、スピーカ４およびチューナ基板５に電力を供給するように構成されている。表示装置１０は支持部材７に支持されている。なお、スピーカ４、チューナ基板５および電源基板６が、表示装置１０に組み付けられている構成であってもよい。
【００３５】
表示装置１０は図２に示すように、枠状のベゼル１１と、ベゼル１１に周縁部が覆われた表示パネル１２（被照明部材）と、表示パネル１２の背面側に配置され、表示パネル１２を照明する照明装置２０とによって構成されている。なお、「表示パネル１２の背面側」の「背面側（図２では下側）」は、他の構成要素にも適用される方位概念である。
【００３６】
表示パネル１２は、液晶表示パネルからなり、図示しない液晶層を挟み込むＡＭ基板（アクティブマトリックス基板）１２ａおよび対向基板１２ｂを含んでいる。また、表示パネル１２は照明装置２０からの光を利用して画像を表示する。
【００３７】
照明装置２０は直下型のバックライト装置であるとともに、４つのコーナー部Ｃ（図３参照）を有する矩形状に形成されている。照明装置２０は、複数の発光素子２１と、発光素子２１が実装された複数の実装基板２２と、実装基板２２の前面側に配置される反射シート２３と、反射シート２３の前面側に配置される拡散板２４および複数の光学シート２５と、これらを収納するフロントシャーシ２６およびバックシャーシ２７とを含んでいる。
【００３８】
実装基板２２は図３に示すように、矩形状の中央領域Ｓ１（２点鎖線Ｌ１に囲まれた領域）に配置される複数の実装基板１２１と、中央領域Ｓ１の外側の周縁領域Ｓ２（２点鎖線Ｌ１の外側の領域）に配置され、かつ、照明装置２０のコーナー部Ｃ近傍に配置される４枚の実装基板１２２とを含んでいる。複数の実装基板１２１は互いに同じ大きさで同じ形状に形成されており、４枚の実装基板１２２も互いに同じ大きさで同じ形状に形成されている。なお、実装基板１２１は本発明の「第１実装基板」の一例であり、実装基板１２２は本発明の「第２実装基板」の一例である。また、中央領域Ｓ１は本発明の「第１領域」の一例であり、周縁領域Ｓ２は本発明の「第２領域」の一例である。
【００３９】
実装基板１２１は、表示パネル１２の長手方向（Ａ方向）に延びる細長形状に形成されている。また、実装基板１２１は、実装基板１２１の長手方向（Ａ方向）に沿って例えば２枚配置されているとともに、実装基板１２１の短手方向（Ａ方向と直交（交差）するＢ方向）に沿って例えば５枚以上配置されている。なお、Ａ方向は本発明の「第１方向」の一例であり、Ｂ方向は本発明の「第２方向」の一例である。
【００４０】
実装基板１２２は実装基板１２１のＡ方向の端面１２１ａよりもＡ方向の外側に配置されている。また、実装基板１２２は実装基板１２１のＢ方向の端面１２１ｂよりもＢ方向の外側に配置されている。なお、実装基板１２２の一部が、端面１２１ａよりもＡ方向の内側に配置されていてもよいし、端面１２１ｂよりもＢ方向の内側に配置されていてもよい。
【００４１】
実装基板１２２は、最も近い実装基板１２１に配線３０を介して電気的に接続されている。また、実装基板１２１は、図示しない配線により電源基板６（図１参照）に接続されており、発光素子２１を発光させるための電流（電力）が供給されるように構成されている。実装基板１２２には実装基板１２１から電流（電力）が供給される。なお、実装基板１２２を電源基板６に電気的に接続し、実装基板１２２から実装基板１２１に電流（電力）が供給されるように構成してもよい。また、バックシャーシ２７に、実装基板２２と電源基板６とを接続する配線を通過させるための開口部（図示せず）が形成されていてもよい。
【００４２】
発光素子２１は実装基板２２上に半田層など（図示せず）を用いて実装されている。発光素子２１は、実装基板１２１上にＡ方向に所定のピッチで複数実装されているとともに、実装基板１２２上に１個ずつ実装されている。
【００４３】
１枚の実装基板１２１に実装された複数の発光素子２１は直列接続されている。実装基板１２２に実装された発光素子２１ａは、最も近い実装基板１２１に実装された複数の発光素子２１と直列接続されている。
【００４４】
実装基板１２２に実装された発光素子２１ａを除いて複数の発光素子２１は、Ａ方向およびＢ方向に配列され、マトリクス状に配置されている。また、実装基板１２２に実装された発光素子２１ａは、マトリクス状に配置された複数の発光素子２１のうちのコーナー部Ｃに隣接して配置される発光素子２１ｂに比べて、コーナー部Ｃの近くに配置されている。
【００４５】
発光素子２１は例えば白色ＬＥＤ（発光ダイオード）により形成されている。発光素子２１は図４に示すように、青色に発光する青色発光チップ２１０と、青色発光チップ２１０の周囲に設けられ、黄色の領域に発光ピークを有する発光体層２１１と、これらを収納するケース２１２とを含んでいる。なお、発光素子２１は、青色に発光する青色発光チップ２１０と、青色発光チップ２１０の周囲に設けられ、緑色の領域および赤色の領域にそれぞれ発光ピークを有する発光体層とを含んでいてもよい。また、発光素子２１は、青色に発光する青色発光チップ２１０と、青色発光チップ２１０の周囲に設けられ、緑色の領域に発光ピークを有する発光体層と、赤色に発光する赤色発光チップとを含んでいてもよい。また、発光素子２１は、青色に発光する青色発光チップ２１０と、赤色に発光する赤色発光チップと、緑色に発光する緑色発光チップとを含んでいてもよい。また、発光素子２１は、紫外光を発光する紫外光発光チップと、紫外光発光チップの周囲に設けられ、青色の領域、赤色の領域および緑色の領域にそれぞれ発光ピークを有する発光体層とを含んでいてもよい。
【００４６】
また、実装基板１２２に実装された発光素子２１ａのみが、青色に発光する青色発光チップ２１０と、黄色の領域に発光ピークを有する発光体層２１１とを含んでいてもよい。そして、それ以外の発光素子２１は、他の構成の白色ＬＥＤにより構成されていてもよい。
【００４７】
発光素子２１は前方（拡散板２４側）に向かって光を出射するように形成されている。各発光素子２１には図３および図５に示すように、光を拡散する機能を有する拡散レンズ２８が、発光素子２１の光出射側を覆うように設けられている。この拡散レンズ２８は例えば透明樹脂により形成されている。拡散レンズ２８は実装基板２２に固定されていてもよいし、バックシャーシ２７に固定されていてもよい。
【００４８】
拡散レンズ２８は、真上方向（表示パネル１２の厚み方向）よりもコーナー部Ｃ方向へ出射する光を増大させる機能を有することが好ましい。この場合、拡散レンズ２８は例えば図６に示した形状に形成されていてもよい。拡散レンズ２８を図６に示したように形成すれば、拡散レンズ２８から出射する光の配光パターン（指向特性）は、図７に示すようになる。具体的には、拡散レンズ２８から出射される光の光度は、真上方向に対して約６５±１５度傾斜した方向の光度が最も高くなる。また、拡散レンズ２８から真上方向に出射される光の相対光度は、例えば０．２程度になる。なお、図７の角度（０°〜９０°）は、真上方向に対する光の出射角度を示している。
【００４９】
なお、拡散レンズ２８は、全ての発光素子２１に設けられていてもよいし、実装基板１２２に実装された発光素子２１ａには設けず、発光素子２１ａ以外の発光素子２１に設けられていてもよい。
【００５０】
反射シート２３は図２に示すように、実装基板２２の前面上に配置された底面部２３ａと、底面部２３ａに対して傾斜する傾斜面部２３ｂとを含んでいる。底面部２３ａは、長方形状に形成されているとともに、表示パネル１２に略平行に配置されている。傾斜面部２３ｂは、底面部２３ａに対して所定の傾斜角度を有するように表示パネル１２側に折り曲げられている。発光素子２１から出射した光は、照明装置２０の周縁部において、反射シート２３の傾斜面部２３ｂにより表示パネル１２側に反射される。
【００５１】
また、反射シート２３には、発光素子２１および拡散レンズ２８が挿入される複数の開口部２３ｃが形成されている。傾斜面部２３ｂのうちの、４個の発光素子２１ａの前方部分には、４つの開口部２３ｄが形成されている。この開口部２３ｄは、他の開口部２３ｃよりも大きく形成されている。開口部２３ｄは底面部２３ａまで形成されていてもよい。なお、傾斜面部２３ｂのうちの、４個の発光素子２１ａの前方部分に、開口部２３ｄの代わりに切り欠き部（図示せず）が形成されていてもよい。
【００５２】
拡散板２４は例えば樹脂製の板状部材からなっている。拡散板２４は、発光素子２１から出射した光の一部を反射シート２３側に反射するとともに、発光素子２１から出射した光の残りを拡散して表示パネル１２側（光学シート２５側）に透過する機能を有する。拡散板２４の背面は複数の支持ピン（図示せず）により支持されていてもよい。支持ピンはバックシャーシ２７や実装基板２２に固定されていてもよい。反射シート２３には、支持ピンを挿入するための挿入穴（図示せず）が設けられていてもよい。
【００５３】
複数の光学シート２５は拡散板２４よりも薄い樹脂製のシート状部材からなっており、拡散板２４の表示パネル１２側に配置されている。光学シート２５は拡散板２４を透過した光の拡散や集光などを行う。なお、使用する光学シート２５の種類や数は用途に応じて変更可能である。
【００５４】
本実施形態では、上記のように、矩形状の中央領域Ｓ１に配置される複数の実装基板１２１と、中央領域Ｓ１の外側の周縁領域Ｓ２に配置され、かつ、照明装置２０のコーナー部Ｃ近傍に配置される実装基板１２２とを備える。すなわち、照明装置２０のコーナー部Ｃ近傍（コーナー領域）に、発光素子２１ａが実装される実装基板１２２を追加配置する。これにより、照明装置２０のコーナー領域から出射する光の量を増加させることができるので、表示パネル１２のコーナー領域の輝度が低下する（コーナー領域が暗く見える）のを抑制することができる。このような構成は、薄型の照明装置２０に特に有効である。
【００５５】
また、上記のように、実装基板１２２は、実装基板１２１のＡ方向の端面１２１ａよりもＡ方向の外側に配置されているとともに、実装基板１２１のＢ方向の端面１２１ＢよりもＢ方向の外側に配置されている。これにより、実装基板１２２に実装される発光素子２１ａを照明装置２０のコーナー部Ｃに、より近づけて配置することができる。
【００５６】
また、上記のように、実装基板１２２は実装基板１２１に電気的に接続されている。これにより、実装基板２２と電源基板６とを接続する配線の数が増加するのを、防止することができる。
【００５７】
また、上記のように、実装基板１２２は、最も近い実装基板１２１に電気的に接続されている。これにより、実装基板１２２と実装基板１２１とを接続する配線３０を短くすることができる。
【００５８】
また、上記のように、反射シート２３の傾斜面部２３ｂのうちの、実装基板１２２に実装された発光素子２１ａの前方部分には、開口部２３ｄ（または切り欠き部）が形成されている。これにより、照明装置２０のコーナー部Ｃ近傍に発光素子２１ａを追加配置した場合に、その発光素子２１ａから出射した光が反射シート２３の傾斜面部２３ｂで遮られるのを抑制することができる。
【００５９】
また、上記のように、実装基板１２２に実装された発光素子２１ａは、マトリクス状に配置された複数の発光素子２１のうちのコーナー部Ｃに隣接して配置される発光素子２１ｂに比べて、コーナー部Ｃの近くに配置されている。これにより、照明装置２０のコーナー領域から出射する光の量を容易に増加させることができる。
【００６０】
また、上記のように、発光素子２１からの光を拡散させる拡散レンズ２８を設けることによって、発光素子２１からの光を拡散させることができるので、表示パネル１２のコーナー領域の輝度が低下するのをより抑制することができる。
【００６１】
また、上記のように、拡散レンズ２８は、真上方向よりもコーナー部Ｃ方向へ出射する光を増大させる。これにより、表示パネル１２のコーナー領域の輝度が低下するのを効果的に抑制することができる。
【００６２】
（第２実施形態）
本発明の第２実施形態では図８に示すように、Ａ方向に配列された２枚の実装基板１２１同士はコネクタ部材２９を介して互いに電気的に接続されている。
【００６３】
互いに電気的に接続された２枚の実装基板１２１に隣接する２枚の実装基板１２２のうちの一方の実装基板１２２は、最も近い実装基板１２１に配線３０により電気的に接続されており、他方の実装基板１２２は、２番目に近い実装基板１２１に配線３０により電気的に接続されている。
【００６４】
すなわち、図８の最上段の２枚の実装基板１２１に隣接する２枚の実装基板１２２（上側の２枚の実装基板１２２）のうちの右側の実装基板１２２ａは、最上段の実装基板１２１に電気的に接続されている。上側の実装基板１２２のうちの左側の実装基板１２２ｂは、上から２段目の実装基板１２１に電気的に接続されている。また、最下段の２枚の実装基板１２１に隣接する２枚の実装基板１２２（下側の２枚の実装基板１２２）のうちの左側の実装基板１２２ｃは、最下段の実装基板１２１に電気的に接続されている。下側の実装基板１２２のうちの右側の実装基板１２２ｄは、下から２段目の実装基板１２１に電気的に接続されている。
【００６５】
第２実施形態のその他の構造は、上記第１実施形態と同様である。
【００６６】
本実施形態では、上記のように、Ａ方向に配列された２枚の実装基板１２１同士は互いに電気的に接続されている。これにより、実装基板２２と電源基板６とを電気的に接続する配線の数を少なくすることができる。
【００６７】
また、上記のように、互いに電気的に接続された２枚の実装基板１２１に隣接する２枚の実装基板１２２のうちの一方の実装基板１２２は、最も近い実装基板１２１に電気的に接続され、他方の実装基板１２２は、２番目に近い実装基板１２１に電気的に接続されている。これにより、直列接続される発光素子２１の数が増加するのを抑制することができるので、実装基板２２に供給する電圧が高くなるのを抑制することができる。
【００６８】
第２実施形態のその他の効果は、上記第１実施形態と同様である。
【００６９】
（第３実施形態）
本発明の第３実施形態では図９に示すように、４枚の実装基板１２２は実装基板１２１に電気的に接続されていない。４枚の実装基板１２２は配線３０により互いに電気的に接続されている。４枚の実装基板１２２のうちの１枚の実装基板１２２は、図示しない配線により電源基板６に接続されている。
【００７０】
第３実施形態のその他の構造は、上記第１実施形態と同様である。
【００７１】
本実施形態では、上記のように、実装基板１２２を実装基板１２１に電気的に接続しないことによって、直列接続される発光素子２１の数を少なくすることができるので、実装基板２２に供給する電圧が高くなるのを抑制することができる。
【００７２】
第３実施形態のその他の効果は、上記第１実施形態と同様である。
【００７３】
（第４実施形態）
本発明の第４実施形態では図１０に示すように、実装基板１２２は実装基板１２１のＢ方向の端面１２１ｂよりもＢ方向の外側に配置されている。実装基板１２２は実装基板１２１のＡ方向の端面１２１ａよりもＡ方向の外側に突出しないように配置されている。
【００７４】
第４実施形態のその他の構造は、上記第１実施形態と同様である。
【００７５】
本実施形態では、上記のように、実装基板１２２は、実装基板１２１のＢ方向の端面１２１ｂよりもＢ方向の外側に配置されている。このように構成した場合にも、発光素子２１ａを照明装置２０のコーナー部Ｃ近傍（コーナー領域）に配置することができるので、照明装置２０のコーナー領域から出射する光の量を増加させることができる。このため、表示パネル１２のコーナー領域の輝度が低下するのを抑制することができる。
【００７６】
第４実施形態のその他の効果は、上記第１実施形態と同様である。
【００７７】
（第５実施形態）
本発明の第５実施形態では図１１に示すように、実装基板１２２は実装基板１２１のＡ方向の端面１２１ａよりもＡ方向の外側に配置されている。実装基板１２２は実装基板１２１のＢ方向の端面１２１ｂよりもＢ方向の外側に突出しないように配置されている。
【００７８】
第５実施形態のその他の構造は、上記第１実施形態と同様である。
【００７９】
本実施形態では、上記のように、実装基板１２２は、実装基板１２１のＡ方向の端面１２１ａよりもＡ方向の外側に配置されている。このように構成した場合にも、発光素子２１ａを照明装置２０のコーナー部Ｃ近傍（コーナー領域）に配置することができるので、照明装置２０のコーナー領域から出射する光の量を増加させることができる。このため、表示パネル１２のコーナー領域の輝度が低下するのを抑制することができる。
【００８０】
第５実施形態のその他の効果は、上記第１実施形態と同様である。
【００８１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８２】
例えば、上記実施形態では、表示パネルを液晶表示パネルに適用した例について示したが、本発明はこれに限らず、液晶表示パネル以外の表示パネルに適用してもよい。
【００８３】
また、上記実施形態では、照明装置の一例として表示パネルを照明するバックライト装置について説明したが、本発明はこれに限らず、表示パネル以外の被照明部材を照明する照明装置にも適用可能である。例えば、パネル（被照明部材）を備えた天井照明装置や、看板の表示板（被照明部材）を背面側から照明する照明装置などにも適用可能である。また、言うまでもなく、照明装置は矩形状に限定されない。
【００８４】
また、上記実施形態では、発光素子を、白色光を出射するように構成した例について示したが、本発明はこれに限らず、発光素子を、白色光以外の光を出射するように構成してもよい。
【００８５】
また、上記実施形態では、本発明を、発光素子上を覆うように拡散レンズを設けた例について示したが、本発明はこれに限らず、発光素子上を覆う拡散レンズを設けなくてもよい。
【００８６】
また、上述した実施形態の構成を適宜組み合わせて得られる構成についても、本発明の技術的範囲に含まれる。
【符号の説明】
【００８７】
１０  表示装置
１２  表示パネル（被照明部材）
２０  照明装置
２１  発光素子
２２  実装基板
２３  反射シート
２３ａ  底面部
２３ｂ  傾斜面部
２３ｃ、２３ｄ  開口部
２８  拡散レンズ
１２１  実装基板（第１実装基板）
１２１ａ  端面（第１方向の端面）
１２１ｂ  端面（第２方向の端面）
１２２  実装基板（第２実装基板）
２１０  青色発光チップ
２１１  発光体層
Ｃ  コーナー部
Ｓ１  中央領域（第１領域）
Ｓ２  周縁領域（第２領域）
【図１】
2013152865.tif 000003
【図２】
2013152865.tif 000004
【図３】
2013152865.tif 000005
【図４】
2013152865.tif 000006
【図５】
2013152865.tif 000007
【図６】
2013152865.tif 000008
【図７】
2013152865.tif 000009
【図８】
2013152865.tif 000010
【図９】
2013152865.tif 000011
【図１０】
2013152865.tif 000012
【図１１】
2013152865.tif 000013
【図１２】
2013152865.tif 000014
【図１３】
2013152865.tif 000015
【図１４】
2013152865.tif 000016